(57)【特許請求の範囲】
【請求項１】
芯材を方形状に枠組みした枠体と、前記枠体の少なくとも片面に取り付けられた面材とを含む壁パネルと、前記壁パネルの下面外方側に取り付けられた土台部材と、前記壁パネルおよび前記土台部材の外面に取り付けられた仕上げ材とを含む仕上げ材付き外壁パネルにおける前記土台部材の下面に水切り部材を有する水切り構造であって、
前記水切り部材は、前記土台部材への取付片部材と、前記取付片部材と別体の水切り片部材とを含み、
前記取付片部材と前記水切り片部材は互いに係合可能な係合部を有し、
前記土台部材は、外方側下面に土台部材の幅方向に沿って連続形成された切欠き部を有し、
前記切欠き部内に前記取付片部材が収容されて取り付けられ、
前記水切り片部材は、前記取付片部材と係合して前記仕上げ材の下方から外部に臨んで設けられることを特徴とする水切り構造。
【発明の詳細な説明】
【０００１】
【産業上の利用分野】
本発明は、水切り構造に関する。
【０００２】
【従来の技術および発明が解決しようとする課題】
建屋の外壁面にかかる雨水が、建屋内方へ浸入したり汚れの原因となるのを防ぐために、建屋外壁面の下端や外壁仕上げ材の継ぎ目において建屋壁面に取付けられる水切り部材として、例えば、図８に示すものが知られている。
【０００３】
図８は、木質パネル工法により構築された建屋の１階の壁面下端に取付けられた水切り部材１００を示す断面図である。水切り部材１００は、例えば金属板を屈曲形成したもので、建屋への取付け片部１０２および取付け片部１０２より突出して下降傾斜する水切り片部１０４とが一体的に形成されている。
【０００４】
基礎１１０の外方側上面には、基礎１１０上に敷込まれた樹脂製土台１１２を介して土台部材である半土台１１４が載置されている。半土台１１４の内方側には床パネル１１６が敷込まれ、半土台１１４と床パネル１１６との上面には、半土台１１４と床パネル１１６とに渡って壁パネル１１８が立設されている。壁パネル１１８は、その外面に防水シート１２０を備え、防水シート１２０は、半土台１１４の外面側まで延出されている。水切り部材１００は、半土台１１４の外面下方側にその取付け片部１０２を当接させて釘等で取付けられている。水切り部材１００の取付けの際に、防水シート１２０上から水切り部材１００を取付けて防水シート１２０を釘等で傷つけ、建屋の防水性が劣るのを防ぐために、水切り部材１００は、防水シート１２０をめくって半土台１１４外面に直接取付けられ、防水シート１２０は、水切り部材１００の取付け片部１０２外面に被せられる。
【０００５】
そして、壁パネル１１８および半土台１１４の外面にはサイディング１２２が取付けられて外壁が構築されている。
【０００６】
上述した従来の水切り部材１００の半土台１１４への取付けは現場作業であり、いわゆる工業化の要請に反するものであった。
【０００７】
また一方、工業化を促進し、より現場作業の簡略化および精度向上を図ることにより、工期の短縮によるコスト削減および品質向上を達成する目的で、予め工場等で壁パネル１１８、半土台１１４およびサイディング１２２を一体化形成した、いわゆるサイディング付き外壁パネルが用いられるようになってきた。しかしながら、上述した従来の方法では、水切り部材１００の取付けは、壁パネル１１８および半土台１１４の外面にサイディング１２２を取付ける前に行う必要があり、サイディング付き外壁パネルの場合には水切り部材１００を現場にて取付けられない。
【０００８】
そこで、サイディング付き外壁パネルに水切り部材１００を予め工場等で取付けておいて現場に搬送し、現場作業の簡略化を図ることが考えられる。しかしながら、水切り部材１００は、図８に示すように、水切り片部１０４が半土台１１４下端より突出し、かつサイディング１２２外面よりも突出する部材であるので、搬送時に邪魔となり、搬送途中で破損するおそれもあるという問題点があった。
【０００９】
本発明は上記問題点に鑑みなされたものであり、外壁構築後でも取付け施工が可能で、かつ現場作業の簡略化が図れ、工業化の要請に対応した水切り構造を提供することにある。
【００１０】
【課題を解決するための手段】
上記目的を達成するために、請求項１記載の発明は、芯材を方形状に枠組みした枠体と、前記枠体の少なくとも片面に取り付けられた面材とを含む壁パネルと、前記壁パネルの下面外方側に取り付けられた土台部材と、前記壁パネルおよび前記土台部材の外面に取り付けられた仕上げ材とを含む仕上げ材付き外壁パネルにおける前記土台部材の下面に水切り部材を有する水切り構造であって、
前記水切り部材は、前記土台部材への取付片部材と、前記取付片部材と別体の水切り片部材とを含み、
前記取付片部材と前記水切り片部材は互いに係合可能な係合部を有し、
前記土台部材は、外方側下面に土台部材の幅方向に沿って連続形成された切欠き部を有し、
前記切欠き部内に前記取付片部材が収容されて取り付けられ、
前記水切り片部材は、前記取付片部材と係合して前記仕上げ材の下方から外部に臨んで設けられることを特徴とする。
【００１１】
【００１２】
【００１３】
【００１４】
【００１５】
【００１６】
【００１７】
【作用】
請求項１記載の発明にあっては、仕上げ材付き外壁パネルの、水切りの取付片部材取付位置に切欠きが形成されていることにより、水切り片部材の取付け作業を切欠き部分を利用して建屋側部材に邪魔されずに容易に行うことができる。また、取付け片部材が仕上げ材付き外壁パネルより突出しないので、搬送時の作業性がよく、搬送中の破損のおそれもない。
【００１８】
【００１９】
【００２０】
【００２１】
【００２２】
【００２３】
【００２４】
【００２５】
【実施例】
以下、本発明の好適な実施例について図面に基づいて詳細に説明する。
【００２６】
（実施例１）
図１は、実施例１に係る水切り構造を示す断面図であり、図２は、図１に示す水切り構造を構成する水切り部材１０を示す斜視図である。
【００２７】
実施例１に係る水切り構造は、図１に示すように、基礎４０と、基礎４０上に立設されたサイディング付き外壁パネル５０と、サイディング付き外壁パネル５０の下面に取付けられた水切り部材１０とを含み、構成されている。
【００２８】
水切り部材１０は、サイディング付き外壁パネル５０の下面に、パネルの幅方向に沿って取付けられて、建屋内方に雨水等が浸入するのを防ぐ。
【００２９】
水切り部材１０は、図２に示すように、取付け片部材２０およびこれと別体形成された水切り片部材３０とから構成された２分割型の部材である。取付け片部材２０は、所定長さのものが所定間隔ごとに、サイディング付き外壁パネル５０の下面に複数個取付けられる。水切り片部材３０は、サイディング付き外壁パネル５０の幅方向に沿って、取付け片部材２０と係合することにより連続して取付けられる。
【００３０】
水切り部材１０の材質は、例えばアルミニウム等の金属板やアクリル系樹脂等の樹脂であり、ある程度の弾性を有する。
【００３１】
取付け片部材２０は、建屋側の部材であるサイディング付き外壁パネル５０に水切り片部材３０を固着するための部材であり、取付け部２２と一対の爪部２６ａ，２６ｂとから形成されている。
【００３２】
取付け部２２は、サイディング付き外壁パネル５０の下面に当接可能な平板状の部材であり、その中央付近には釘穴２３が貫通形成されている。
【００３３】
爪部２６ａ，２６ｂは取付け部の両端部より水切り部材１０の長さ方向に沿って下方に突出形成されている。それぞれの爪部２６ａ，２６ｂは第一の爪２７および第二の爪２８の２本の爪より構成されていて、第一の爪２７および第二の爪２８によって被係合部２４ａ，２４ｂが形成されている。被係合部２４ａ，２４ｂは、後述する水切り片部材３０が有する爪部３４ａ，３４ｂを係合して、取付け片部材２０と水切り片部材３０とを固着する。両部材の係合については後述する。
【００３４】
水切り片部材３０は、取付け部３２および水切り板部３６とから構成されている。
【００３５】
取付け部３２は、平板状の部材であり、その両端部より水切り部材１０の長さ方向に沿って上方に突出形成されている一対の鉤状の爪部３４ａ，３４ｂを有する。爪部３４ａ，３４ｂは、上述した取付け片部材２０の被係合部２４ａ，２４ｂに係合される係合部である。
【００３６】
水切り板部３６は、取付け部３２の外方側端部より外方側へ突出形成された平板状の部材であり、取付け部３２の外方側端部より延出して下降傾斜する傾斜部３７と、傾斜部３７の下端より垂下する屈曲部３８とから成っている。
【００３７】
次に、実施例１に係る水切り構造を構成する建屋側の部材について、図１に基づいて説明する。
【００３８】
基礎４０上に敷込まれた樹脂製土台４８を介して、基礎４０上面に、外方側端部より所定間隔をあけて床パネル７０が敷込まれている。ここで、床パネル７０とは、芯材を方形状に枠組みした枠体７２の上面に面材７４を貼付して形成されたものである。
【００３９】
そして、基礎４０上面の外方側端部にはサイディング付き外壁パネル５０が、基礎４０上面および床パネル７０上面に渡って立設されて、建屋外壁が構築されている。
【００４０】
サイディング付き外壁パネル５０は、土台部材である半土台５２と壁パネル６０と防水シート６６およびサイディング６８とを含み構成され、さらに半土台５２の下面に水切り部材１０の取付け片部材２０を有していることが特徴となっている。
【００４１】
半土台５２は、図１に示すように、その外方側下面に半土台５２の幅方向に沿って連続形成された切欠き部５４を有し、その切欠き部５４には、水切り部材１０の取付け片部材２０が、釘穴２３を介して釘５６により取付けられている。なお、取付け片部材２０は、図３に示すように、半土台５２の幅方向に沿って所定間隔をあけて複数個取付けられている。取付け片部材２０の取付け位置は、水切り片部材３０を複数カ所において支持できるように設定される。
【００４２】
壁パネル６０は、芯材を方形状に枠組みした枠体６２の内面に面材６４を貼付して形成されたもので、半土台５２および床パネル７０の上面に、その外面６３と半土台５２の外面５３とを面一に揃えて立設され、取付けられている。
【００４３】
壁パネル６０と半土台５２のそれぞれの外面６３，５３は防水シート６６により覆われており、さらにその外面にサイディング６８が取付けられている。
【００４４】
これらの構成部材は全て予め工場等で一体的に形成されて、サイディング付き外壁パネル５０として現場に搬送されるものである。
【００４５】
基礎４０は、半土台５２の切欠き部５４と対向する位置に、切欠き部４２が形成されている。
【００４６】
次に、現場における水切り部材１０の取付け方法について述べる。
【００４７】
まず、基礎４０上面に樹脂製土台４８を介して床パネル７０を敷込む。次に、サイディング付き外壁パネル５０を基礎４０および床パネル７０に渡らせて、その上面の所定位置に立設し外壁部を構築する。
【００４８】
そして、水切り部材１０の水切り片部材３０を、サイディング付き外壁パネル５０の下面に取付けられた取付け片部材２０に係合させて取付ける。すなわち、水切り片部材３０の鉤状の爪部３４ａ，３４ｂを、取付け片部材２０の被係合部２４ａ，２４ｂに差し込む。すると、被係合部２４ａを構成している第１の爪２７ａと第２の爪２８ａ、同様に被係合部２４ｂを構成している第１の爪２７ｂと第２の爪２８ｂが弾性変形して、爪部３４ａ，３４ｂと被係合部２４ａ，２４ｂとが係合する。つまり、取付け片部材２０に水切り片部材３０を、ワンタッチで装着させることができる。
【００４９】
実施例１に係る水切り構造によれば、取付け片部材２０と水切り片部材３０が別体から成る、２分割型の水切り部材１０を用いていることにより、取付け片部材２０を予めサイディング付き外壁パネル５０に取付けておくことが可能で、工業化に対応できる。取付け片部材２０は、サイディング付き外壁パネル５０の下面に設けられた切欠き部５４内に取付けられているので、サイディング付き外壁パネル５０の下面より突出しない。よって、搬送中に邪魔にならず、破損するおそれもない。また、水切り部材１０の取付け位置が従来例のように壁パネル外面ではないので、仕上げ材付きの壁パネルでも対応できる。
【００５０】
水切り片部材３０の取付けは、道具を必要とせずワンタッチで行うことができるので、現場作業が簡略化される。また、予め工場で取り付けられた取付け片部材２０に水切り片部材３０を嵌め込むことにより、水切り部材１０の位置合わせも行うことができるので、現場作業はより容易で、精度もよい。さらに、基礎４０が切欠き部４２を有することにより、パネル組立後に、水切り片部材３０の取付け施工が可能で、施工順を拘束されないですむ。
【００５１】
（実施例２）
次に、実施例２について述べる。
【００５２】
実施例２に係る水切り構造は、図４に示すように、外壁面途中に水切り部材１０を取付けたものであり、具体的には、２階壁部を構築するサイディング付き外壁パネル１３０と１階壁部を構築するサイディング付き外壁パネル５０との継ぎ目部分において、水切り部材１０が取付けられた水切り構造である。
【００５３】
水切り部材１０は、実施例１と同様の部材であるので、実施例１と同符号を用い説明は省略する。その他の部材についても実施例１と同様の部材については、同符号を用い説明は省略する。
【００５４】
２階のサイディング付き外壁パネル１３０は、壁パネル１３２、胴差１５０ａ、防水シート１３４およびサイディング１３６とを含み構成され、胴差１５０ａの下面に水切り部材１０の取付け片部材２０を有していることが特徴となっている。
【００５５】
壁パネル１３２は、芯材を枠組みした枠体の内面に面材を貼付して形成されたものある。壁パネル１３０の外方側下面には胴差１５０ａが取付けられている。胴差１５０ａは、土台部材である胴差１５０の上半分を構成するものである。この胴差１５０ａと、１階のサイディング付き外壁パネル５０が、壁パネル６０の上端に備える胴差１５０ｂとが組合わされて胴差１５０を構成する。
【００５６】
壁パネル１３２と胴差１５０ａとの外面は防水シート１３４により覆われており、さらにその外面にサイディング１３６が取付けられている。
【００５７】
胴差１５０ａは、その外方側下面に、胴差１５０ａの幅方向に沿って連続形成された切欠き部１５２ａを有し、その切欠き部１５２ａには水切り部材１０の取付け片部材２０が釘穴２３を介して釘５６により取付けられている。
【００５８】
サイディング付き壁パネル１３０は予め工場で製造されるもので、その下面に水切り部材１０の取付け片部材２０を取付けた状態で建築現場に搬送される。
【００５９】
１階のサイディング付き外壁パネル５０は、上述したように、壁パネル６０の上端外方側に胴差１５０ｂを備え、胴差１５０ｂおよび壁パネル６０の外面は防水シート６６により覆われており、さらにその外面にサイディング６８が取付けられている。胴差１５０ｂは、胴差１５０ａの切欠き部１５２ａと対向する位置に、切欠き部１５２ｂが形成されている。そしてその切欠き部１５２ａには定形シール材１５４が取付けられている。１階のサイディング付き外壁パネル５０も工場において予め製造されて現場に搬送されるものであるが、定形シール材１５４は、予め工場において取付けてきてもよいし、現場において取付けてもよい。
１階のサイディング付き外壁パネル５０は、現場において所定位置に立設されて１階の壁部を構築する。そして、１階のサイディング付き外壁パネル５０の胴差１５０ｂの内方側に、２階の床パネル１６０が敷込まれる。さらに、２階のサイディング付き外壁パネル１３０が、１階のサイディング付き外壁パネル５０と２階の床パネル１６０の上面に渡って立設されて２階の壁部が構築される。この２階のサイディング付き外壁パネル１３０を立設する前に、例えば、クレーン等で２階のサイディング付き外壁パネル１３０を吊り上げた際に、水切り部材１０の水切り片部材３０を胴差１５０ａの下面に取付けられた取付け片部材２０に係合させて取付けておく。よって、２階のサイディング付き外壁パネル１３０が所定位置に立設されると実施例２に係る水切り構造が完成する。
【００６０】
水切り片部材３０と１階のサイディング付き外壁パネル５０との隙間は、図４に示すように、胴差１５０ｂの切欠き部１５２ｂに取付けられた定形シール材１５４により埋められるので、雨水等がこの隙間から建屋内方側に浸入するおそれはない。
【００６１】
実施例２に係る水切り構造によれば、外壁面途中に、例えば階上と階下のサイディング付き外壁パネル１３０，５０の継ぎ目部分において、水切り部材１０をを用いた水切り構造が適用できる。その他の作用効果は実施例１と同様であるので説明は省略する。
【００６２】
（実施例３）
その次に、実施例３について説明する。
【００６３】
図５は、実施例３に係る水切り構造を示す断面図であり、図６は、図５に示す水切り構造を構成する水切り部材２１０のサイディング付き外壁パネル２５０への取付け状態を示す斜視図である。
【００６４】
実施例３に係る水切り構造は、実施例１と同様に、建屋１階の外壁下端部における水切り構造であり、図５に示すように、基礎２４０と、基礎２４０上に立設されたサイディング付き外壁パネル２５０と、サイディング付き外壁パネル２５０の下面に取付けられた水切り部材２１０とを含み、構成されている。
【００６５】
水切り部材２１０は、サイディング付き外壁パネル２５０の下面に、パネルの幅方向に沿って取付けられて、建屋内方に雨水等が浸入するのを防ぐ。
【００６６】
水切り部材２１０は、図６に示すように、取付け片部材２２０およびこれと別体形成された水切り片部材２３０とから構成された２分割型の部材である。取付け片部材２２０は、サイディング付き外壁パネル２５０の下面にパネルの幅方向に沿って連続的に取付けられる。水切り片部材２３０は、取付け片部材２２０と係合することによりサイディング付き外壁パネル２５０の下面に沿って連続的に取付けられる。
【００６７】
水切り部材２１０の材質としては、実施例１および実施例２に係る水切り部材１０と同様に、例えばアルミニウム等の金属板やアクリル系樹脂等の樹脂が挙げられ、樹脂であることが成型上望ましく、また、ある程度の弾性を有することを要する。
【００６８】
取付け片部材２２０は、建屋側の部材であるサイディング付き外壁パネル２５０に水切り片部材２３０を固着するための部材であり、図６に示すように、連続した上面部２２２と下面部２２４を有する、建屋外方側が開口した断面略コ字状形のものである。
【００６９】
上面部２２２と下面部２２４とにより形成されている間隙は、水切り片部材２３０を係合するための係合部２２６であり、さらに上面部２２２は取付け片部材２２０をサイディング付き外壁パネル２５０の下面に取付けるための取付け部でもある。
【００７０】
上面部２２２には、所定間隔をあけて複数の釘穴２２３が貫通形成されており、下面部２２４には、釘取付け用穴２２５が釘穴２２３と対向して貫通形成されている。釘取付け用穴２２５の直径は、釘５６が通り抜け可能な大きさに設定されている。また、下面部２２４の外方側先端は、上方に屈曲して立ち上がり、立ち上がり部２２８を形成している。この立ち上がり部２２８は、水切り片部材２３０が係合された状態で抜け止めとして機能する。
【００７１】
水切り片部２３０は、取付け部（挿入片）２３２および水切り板部２３６とから構成されている。
【００７２】
取付け部２３２は、平板状の部材であり、上述した取付け片部２２０の係合部２３６内に差し込まれて、水切り片部２３０と取付け片部２２０を係合する。取付け部２３２は、その下面に一対の突起部２３４ａ，２３４ｂを有する。この一対の突起部２３４ａ，２３４ｂは、取付け部２３２が取付け片部２２０の係合部２３６内に差し込まれた状態で抜け止めとして機能する。また取付け部２３２はその上面の外方側端部付近に突起状の止水部２３５を有する。止水部２３５は吹き込んだ雨等の建屋内方側への浸入を防止する。なお、突起部２３４ａ，２３４ｂおよび止水部２３５は、取付け部２３２に沿って連続的に形成されており、水切り片部材２３０成型時に一体的に形成されたものである。
【００７３】
水切り板部２３６は、取付け部２３２の外方側端部より外方側へ突出形成された平板状の部材であり、取付け部３２の外方側端部より延出して下降傾斜する傾斜部２３７と、傾斜部２３７の下端より建屋側へ屈曲する屈曲部２３８とから成っている。
【００７４】
次に、実施例３に係る水切り構造を構成する建屋側の部材について、図５に基づいて説明するが、建屋側の部材は実施例１とほぼ同様であるので、同様の部材については同符号を用い説明は省略する。
【００７５】
基礎２４０上に敷込まれた樹脂製土台４８を介して、基礎４０上面に、外方側端部より所定間隔をあけて床パネル７０が敷込まれている。
【００７６】
そして、基礎２４０上面の外方側端部にはサイディング付き外壁パネル２５０が、基礎２４０上面および床パネル７０上面に渡って立設されて、建屋外壁が構築されている。
【００７７】
サイディング付き外壁パネル２５０は、半土台５２、壁パネル６０、防水シート６６およびサイディング６８とを含み構成され、さらに半土台５２の下面に水切り部材２１０の取付け片部材２２０を有していることが特徴となっている。
【００７８】
半土台５２は、図６に示すように、その外方側下面に半土台５２の幅方向に沿って連続形成された切欠き部５４を有し、その切欠き部５４には、水切り部材２１０の取付け片部材２２０が、釘取付け用穴２２５および釘穴２２３を介して釘５６により取付けられている。なお、取付け片部材２２０は、半土台５２の幅方向に沿って連続的に取付けられている。
【００７９】
サイディング６０は、半土台５２の切欠き部５４に合わせて、その下端６１が切欠き５４部と面一となっている。
【００８０】
サイディング付き外壁パネル２５０は、上述した点を除いて、実施例１のサイディング付き外壁パネル５０と同様であるので、構成する他の部材についての個々の説明は省略する。
【００８１】
基礎２４０は、実施例１の基礎４０と異なり、その隅部が切り欠かれてはいないが、基礎２４０の上面に敷き込まれている樹脂製土台４８は、基礎２４０の外方側端部、すなわち、半土台５２が有する切欠き部５４と対向する部分を除いて敷き込まれている。
【００８２】
次に、現場における水切り部材２１０の取付け方法について述べる。
【００８３】
まず、基礎２４０上面に樹脂製土台４８を介して床パネル７０を敷込む。次に、サイディング付き外壁パネル２５０を基礎２４０および床パネル７０に渡らせて、その上面の所定位置に立設し外壁部を構築する。
【００８４】
そして、水切り部材２１０の水切り片部材２３０を、サイディング付き外壁パネル２５０の下面に取付けられた取付け片部材２２０に係合させて取付ける。すなわち、水切り片部材２３０の取付け部２３２を、取付け片部２２０の係合部２２６内に開口側から差し込む。すると、取付け片部２２０が弾性変形して係合部２２６内に取付け部２３２がはめ込まれ、取付け片部材２２０に水切り片部材２３０を、ワンタッチで装着させることができる。そして、装着後は、図５に示すように、取付け片部材２２０の立ち上がり部２２８と水切り片部材２３０の突起部２３４ａ，２３４ｂが抜け止めとなり、水切り片部材２３０の離脱を防止する。また、止水部２３５は、切欠き部５４内に雨等が浸入するのを防止する。
【００８５】
実施例３に係る水切り構造によれば、取付け片部材２２０への水切り片部材２３０の取付けは、建屋外方側からの水平方向の移動で行うことができる。よって、基礎２４０が邪魔となることはなく、切り欠く等の加工を行わないで済むので手間がかからない。また、外壁部構築後でも基礎２４０等の建屋側の部材に邪魔されることなく、取付け片部材２２０への水切り片部材２３０の取付けを容易に行うことができる。
【００８６】
また、取付け片部材２２０は、サイディング付き外壁パネル２５０の下面にパネルの幅方向に沿って連続的に取付けられているので、取付け片部材２２０と水切り片部材２３０との固着は強固なものとなる。
【００８７】
サイディング６０は、水切り片部材２３０取付けの際に邪魔にならないように、その下端６１を切欠き部５４と揃えて取付けられているが、止水部２３５が吹き込む雨等の切欠き部５４内への浸入を防止する。
【００８８】
その他の作用効果については実施例１と同様であるので説明は省略する。
【００８９】
本発明は上記実施例に限定されるものではなく、本発明の要旨の範囲内で種々の変形実施が可能である。
【００９０】
例えば、取付け片部材と水切り片部材は、互いに係合可能な係合部を有していればよく、係合部および被係合部の形状は、両者が係合可能であれば、実施例に限定されず、種々の形状をとり得る。
【００９１】
また、実施例１において、基礎は、必ずしも切り欠き部を有している必要はなく、例えば、図７に示すように、切り欠き部を有さない通常の基礎８０である場合は、サイディング付き外壁パネル５０を基礎上に立設する前の、クレーン等で吊り上げている際に、水切り片部材３０を、取付け片部材２０に嵌め込めばよい。この場合は、基礎８０に切欠き部を形成する必要がない。
【００９２】
実施例１および実施例２において、取付け片部材は、水切り片部材と対応して、半土台または胴差の長さ方向に沿って連続形成されたものでもよいし、実施例３において、取付け片部材は、所定間隔をあけて複数取付けられたものでもよい。
【００９３】
実施例３の水切り部材は、建屋１階外壁の下端部のみならず、外壁面途中の仕上げ材の継ぎ目部分において用いることもできる。
【００９４】
取付け片部材が取付けられる建屋側の部材は、サイディング付き外壁パネルに限定されず、一体化形成されていない単品部材である半土台または胴差でもよい。さらには木質パネル工法以外の建屋でも本発明は適用可能である。
【００９５】
【発明の効果】
以上説明したように、請求項１記載の発明によれば、水切り片部材の取付け作業を切欠き部分を利用して建屋側部材に邪魔されずに容易に行うことができる。また、取付け片部材が仕上げ材付き外壁パネルより突出しないので、搬送時の作業性がよく、搬送中の破損のおそれもない。
【００９６】
【００９７】
【００９８】
【００９９】
【０１００】
【０１０１】
【０１０２】
【図面の簡単な説明】
【図１】実施例１に係る水切り構造を示す断面図である。
【図２】実施例１に係る水切り構造を構成する水切り部材を示す斜視図である。
【図３】実施例１に係る水切り構造を構成するサイディング付き外壁パネルを示す斜視図である。
【図４】実施例２に係る水切り構造を示す断面図である。
【図５】実施例３に係る水切り構造を示す断面図である。
【図６】実施例３に係る水切り構造を構成する水切り部材サイディング付き外壁パネルへの取付け状態を示す斜視図である。
【図７】実施例１に係る水切り構造の変形例を示す斜視図である。
【図８】従来の水切り部材を建屋壁面に取付けた状態を示す断面図である。
【符号の説明】
１０，２１０  水切り部材
２０，２２０  取付け片部
２４ａ，２４ｂ  被係合部
３０，２３０  水切り片部
３４ａ，３４ｂ  爪部（係合部）
４０，８０，２４０  基礎
４２，５４  切欠き部
４８  樹脂製土台
５０，２５０  サイディング付き外壁パネル（１階）
５２  半土台（土台部材）
６０  壁パネル
６６  防水シート
６８  サイディング
７０  床パネル（１階）
１３０  サイディング付き外壁パネル（２階）
１５０，１５０ａ，１５０ｂ  胴差（土台部材）
１５２ａ，１５２ｂ  切欠き部
１５４  定形シール材
１６０  床パネル（２階）
２２６  係合部
２３２  取付け部（挿入片）
２３５  止水部
【図１】
0003617855.tif 000002
【図２】
0003617855.tif 000003
【図３】
0003617855.tif 000004
【図４】
0003617855.tif 000005
【図５】
0003617855.tif 000006
【図６】
0003617855.tif 000007
【図７】
0003617855.tif 000008
【図８】
0003617855.tif 000009